(57)【特許請求の範囲】
【請求項１】
４個の側壁を有する矩形状の筐体の外部から、前記４個の側壁のうちの一の側壁に入射された光を収束するための光学収束装置であって、
４個の側壁を有する矩形状の筐体と、
前記光が入射される側壁に固着された、中央部の内側がミラー状に形成され、かつ周囲部が透光性材料で形成された円形状の反射板と、
前記矩形状の筐体内に設置された前記反射板の周囲部を透過した入射光を収束するためのレンズ系と、
前記円形状の反射板が固着されている側壁以外の３個の側壁の所定の位置に設置された反射鏡とからなり、
前記筐体の外部から前記円形状の反射板の周囲部に入射した光が、前記レンズ系で収束され、次に前記反射鏡を有する３個の側壁で反射された後、前記円形状の反射板で反射され、再度前記レンズ系で収束されることを特徴とする光学収束装置。
【請求項２】
４個の側壁を有する矩形状の筐体の外部から、前記４個の側壁のうちの一の側壁に入射された光を収束するための光学収束方法であって、
前記光が入射される側壁に固着された、中央部の内側がミラー状に形成され、かつ周囲部が透光性材料で形成された円形状の反射板の前記周囲部に光を入射する工程と、
前記反射板の周囲部を透過した入射光を、前記矩形状の筐体内に設置されたレンズ系によって収束する工程と、
前記円形状の反射板が固着されている側壁以外の３個の側壁の所定の位置に設置された反射鏡により、前記レンズ系で収束された光を順次反射する工程と、
前記反射鏡により反射された光を、前記円形状の反射板で反射し、再度前記レンズ系で収束させる工程と、
からなることを特徴とする光学収束方法。
【発明の詳細な説明】
【０００１】
【発明の属する技術分野】
本発明は、簡易かつ安価に光の装飾や熱処理などを可能にした光学反射装置及び光学処理方法に関するものである。
【０００２】
【従来の技術】
光を利用した装置や装飾品は種々のものが考案されており、インテリア備品としても種々のものが実用化されている。光学的な装飾品としては、ＬＥＤ等の光源を用いて幻想的な表示を行ったり、またバーチャル世界を思わせるようなものも提案されている。
【０００３】
【発明が解決しようとする課題】
ところで、上記のような従来の光学的製品にあっては、構成部品が多く、複雑な構造で、高価なものが多いという問題点があった。
【０００４】
本発明は、このような問題点に鑑みてなされたもので、簡易かつ安価な構成で光学的な作用が得られる光学収束装置及び光学収束方法を提供することを目的としている。
【０００５】
【課題を解決するための手段】
本発明に係る光学収束装置は、４個の側壁を有する矩形状の筐体の外部から、前記４個の側壁のうちの一の側壁に入射された光を収束するための光学収束装置であって、４個の側壁を有する矩形状の筐体と、前記光が入射される側壁に固着された、中央部の内側がミラー状に形成され、かつ周囲部が透光性材料で形成された円形状の反射板と、前記矩形状の筐体内に設置された前記反射板の周囲部を透過した入射光を収束するためのレンズ系と、前記円形状の反射板が固着されている側壁以外の３個の側壁の所定の位置に設置された反射鏡とからなり、前記筐体の外部から前記円形状の反射板の周囲部に入射した光が、前記レンズ系で収束され、次に前記反射鏡を有する３個の側壁で反射された後、前記円形状の反射板で反射され、再度前記レンズ系で収束されることを特徴とする光学収束装置。
【０００６】
本発明に係る光学収束方法は、４個の側壁を有する矩形状の筐体の外部から、前記４個の側壁のうちの一の側壁に入射された光を収束するための光学収束方法であって、前記光が入射される側壁に固着された、中央部の内側がミラー状に形成され、かつ周囲部が透光性材料で形成された円形状の反射板の前記周囲部に光を入射する工程と、前記反射板の周囲部を透過した入射光を、前記矩形状の筐体内に設置されたレンズ系によって収束する工程と、前記円形状の反射板が固着されている側壁以外の３個の側壁の所定の位置に設置された反射鏡により、前記レンズ系で収束された光を順次反射する工程と、前記反射鏡により反射された光を、前記円形状の反射板で反射し、再度前記レンズ系で収束させる工程と、からなることを特徴とする光学収束方法。
【０００７】
【発明の実施の形態】
以下、本発明の実施例を図面について説明する。
【０００８】
図１は本発明の実施例の構成を示す斜視図である。同図において、１はレンズ２を通して所望のビーム径の平行な光ビームＬ１を出射する投光器、３はその光ビームＬ１が内部に入射される四角形の箱状の筐体で、三つの内壁面の少なくとも中央部はミラー（鏡）状になっている。４は中央部内側がミラー状に形成されてその周囲部がガラス等の透光性材料からなる円形の反射板で、上記筐体３の残りの一つの側板の中央部に嵌め込まれている。５は凸レンズ５ａと凹レンズ５ｂからなるレンズ系で、入射した光ビームの径を小さいビーム径に変換するためのものである。
【０００９】
上記構成において、投光器１からの光ビームＬ１は反射板４の周囲部４を通して筐体３内に入り、レンズ系５に入射する。このレンズ系５は凸レンズ５ａと凹レンズ５ｂから構成されており、このレンズ系５を通過すると、入射した光ビームは入射前より小さな径の平行な光ビームＬ２となってでていく。この小さな径になった光ビームＬ２は、筐体３の各内壁面の複数の反射鏡（ミラー）及び反射板４で反射して、再び上記レンズ系５に入射する。
【００１０】
そして、これらのレンズ系５によるビーム径変換工程と、筐体３の各内壁面の反射鏡（ミラー）及び反射板４による反射工程とを繰り返すことにより、ビーム径は漸次小さくなっていく。これにより、光ビーム自体による熱作用が得られたり、また光による幻想的な表示などが可能となる。
【００１１】
このように、本実施例では、簡易かつ安価な構成により、光学的な作用が得られ、装飾品を始め、熱処理装置、熱作用装置、照明装置、工芸品、玩具などの製品に実用化することができる。
【００１２】
図２は上述の本発明の第１の実施例における光ビームの変化の様子を示したものである。上記のように、筐体３の各内壁面に形成されたミラー６ａ、６ｂ、６ｃ及び反射板４により光ビームは多数回凸レンズ５ａと凹レンズ５ｂを通過し、ビーム径は際限なく小さくなっていく。
【００１３】
図３は本発明の第２の実施例を示す図である。本実施例は、レンズ系５を複合レンズ５ｃにより構成したものであり、この複合レンズ５ｃに凸レンズと凹レンズの機能を持たせている。したがって、上記と同様の作用効果が得られる。
【００１４】
図３は本発明の第３の実施例を示す図である。本実施例は、レンズ系５を２枚の凸レンズ５ａ、５ｄにより構成したものである。このような構成であっても、上記の各実施例と同様の作用効果が得られる。
【００１５】
【発明の効果】
以上説明したように、本発明によれば、簡易かつ安価な構成で光学的な作用が得られるという効果がある。
【図面の簡単な説明】
【図１】  本発明の実施例の構成を示す斜視図
【図２】  第１の実施例を示す説明図
【図３】  第２の実施例を示す説明図
【図４】  第３の実施例を示す説明図
【符号の説明】
１  投光器
２  レンズ
３  筐体
４  反射板
５  レンズ系
５ａ  凸レンズ
５ｂ  凹レンズ
５ｃ  複合レンズ
５ｄ  凸レンズ
６ａ  ミラー
６ｂ  ミラー
６ｃ  ミラー
【図１】
0004514408.tif 000002
【図２】
0004514408.tif 000003
【図３】
0004514408.tif 000004
【図４】
0004514408.tif 000005